Podtech/llm-jp-corpus-v4-ja_patent huggingface dataset:
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
検索結果を提示するための方法であって、前記方法は、
ハードウェアプロセッサを用いて、現在提示されているメディアに関するクエリを受信するステップと、
現在提示されている番組を特定するステップと、
特定した前記番組と関連付けられる複数のキーワードを特定するステップと、
前記クエリに文脈的に関連している前記複数のキーワードの１つ以上を求めるステップと、
前記クエリおよび文脈的に関連している１つ以上の前記キーワードに基づいて複数の検索結果を得るステップと、
前記複数の検索結果の少なくとも１つをユーザに提示するステップとを備える、方法。
【請求項２】
前記クエリは第１のデバイスから受信され、前記メディアは第２のデバイスによって提示され、前記複数の検索結果の前記少なくとも１つは前記第１のデバイスによって提示される、請求項１に記載の方法。
【請求項３】
オーディオデータを受信するステップと、
受信した前記オーディオデータの第１のオーディオフィンガープリントを、複数の番組に対応するオーディオフィンガープリントと比較するステップと、
前記比較に基づいて、前記第１のオーディオフィンガープリントが対応する前記複数の番組のうちの第１の番組の識別情報を受信するステップとをさらに備え、
現在提示されている前記番組は、前記第１の番組の受信された前記識別情報に基づいて特定される、請求項１または２に記載の方法。
【請求項４】
前記第１のオーディオフィンガープリントと、前記第１の番組と関連付けられる複数のオーディオフィンガープリントとの比較に基づいて、現在提示されている前記第１の番組のある部分を受信するステップをさらに備え、前記第１の番組と関連付けられる前記複数のオーディオフィンガープリントの各々は前記第１の番組の特定の部分に対応する、請求項３に記載の方法。
【請求項５】
前記クエリに文脈的に関連している前記複数のキーワードの１つ以上を求めるステップは、前記複数のキーワードの前記１つ以上が、現在提示されている前記第１の番組の前記部分と関連付けられていると判断するステップを備える、請求項４に記載の方法。
【請求項６】
前記複数のキーワードを特定するステップは、
前記番組と関連付けられるキーワードを求めて、複数の番組と関連付けられるキーワードのデータベースに問合せるステップと、
前記データベースの問合せに応答して、前記キーワードのデータベースから前記番組と関連付けられるキーワードを受信するステップとを備える、請求項１から５のいずれか１項に記載の方法。
【請求項７】
前記クエリに文脈的に関連している前記複数のキーワードの１つ以上を求めるステップは、自然言語処理を用いて、前記複数のキーワードの前記１つ以上が、前記クエリの少なくとも一部に応答する種類のキーワードであると判断するステップを備える、請求項１から６のいずれか１項に記載の方法。
【請求項８】
前記キーワードは、前記番組に現れる対象物に対応する、請求項１から７のいずれか１項に記載の方法。
【請求項９】
検索結果を提示するためのシステムであって、前記システムは、
ハードウェアプロセッサを備え、前記ハードウェアプロセッサは、
現在提示されているメディアに関するクエリを受信し、
現在提示されている番組を特定し、
特定した前記番組と関連付けられる複数のキーワードを特定し、
前記クエリに文脈的に関連している前記複数のキーワードの１つ以上を求め、
前記クエリおよび文脈的に関連している１つ以上の前記キーワードに基づいて複数の検索結果を得て、
前記複数の検索結果の少なくとも１つをユーザに提示する
ようにプログラムされている、システム。
【請求項１０】
前記クエリは第１のデバイスから受信され、前記メディアは第２のデバイスによって提示され、前記複数の検索結果の前記少なくとも１つは前記第１のデバイスによって提示される、請求項９に記載のシステム。
【請求項１１】
前記ハードウェアプロセッサはさらに、
オーディオデータを受信し、
受信した前記オーディオデータの第１のオーディオフィンガープリントを、複数の番組に対応するオーディオフィンガープリントと比較し、
前記比較に基づいて、前記第１のオーディオフィンガープリントが対応する前記複数の番組のうちの第１の番組の識別情報を受信する
ように構成され、
現在提示されている前記番組は、前記第１の番組の受信された前記識別情報に基づいて特定される、請求項９または１０に記載のシステム。
【請求項１２】
前記ハードウェアプロセッサはさらに、前記第１のオーディオフィンガープリントと、前記第１の番組と関連付けられる複数のオーディオフィンガープリントとの比較に基づいて、現在提示されている前記第１の番組のある部分を受信するように構成され、前記第１の番組と関連付けられる前記複数のオーディオフィンガープリントの各々は前記第１の番組の特定の部分に対応する、請求項１１に記載のシステム。
【請求項１３】
前記ハードウェアプロセッサはさらに、前記複数のキーワードの前記１つ以上が、現在提示されている前記第１の番組の前記部分と関連付けられていると判断するように構成される、請求項１２に記載のシステム。
【請求項１４】
前記ハードウェアプロセッサはさらに、
前記番組と関連付けられるキーワードを求めて、複数の番組と関連付けられるキーワードのデータベースに問合せ、
前記データベースの問合せに応答して、前記キーワードのデータベースから前記番組と関連付けられるキーワードを受信する
ように構成される、請求項９から１３のいずれか１項に記載のシステム。
【請求項１５】
前記ハードウェアプロセッサはさらに、自然言語処理を用いて、前記複数のキーワードの前記１つ以上が、前記クエリの少なくとも一部に応答する種類のキーワードであると判断するように構成される、請求項９から１４のいずれか１項に記載のシステム。
【請求項１６】
前記キーワードは、前記番組に現れる対象物に対応する、請求項９から１５のいずれか１項に記載のシステム。
【請求項１７】
請求項１から８のいずれか１項に記載の方法をコンピュータに実行させるためのプログラム。
【手続補正２】
【補正対象書類名】図面
【補正対象項目名】図４
【補正方法】変更
【補正の内容】
【図４】
2017503273.tif 000001
【手続補正書】
【提出日】平成29年6月26日(2017.6.26)
【手続補正１】
【補正対象書類名】明細書
【補正対象項目名】００４９
【補正方法】変更
【補正の内容】
【００４９】
実施例１：物質
１，２−ジオレオイル−ｓｎ−グリセロ−３−ホスホコリン（1,2-dioleoyl-sn-glycero-3-phosphocholine；DOPC）、１，２−ジオレオイル−ｓｎ−グリセロ−３−ホスホエタノールアミン−Ｎ−（キャップビオチニル）ナトリウム塩（1,2-dioleoyl-sn-glycero-3-phosphoethanolamine-N-(cap biotinyl)sodium salt;biotinylated DOPE）及び１，２−ジオレオイル−ｓｎ−グリセロ−３−ホスホエタノールアミン−Ｎ−［メトキシ（ポリエチレングリコール）−１０００］アンモニウム塩（1,2-dioleoyl-sn-glycero-3-phosphoethanolamine-N-[methoxy(polyethylene glycol)-1000] ammonium salt；PEG-DOPE）をＡｖａｎｔｉ  Ｐｏｌａｒ  Ｌｉｐｉｄｓ（Alabaster、AL、USA）から購入した。Ｃｙ３−修飾されたストレプトアビジン（streptavidin；STV）は、Ｍｏｌｅｃｕｌａｒ  Ｐｒｏｂｅｓ（Eugene、OR、USA）から購入した。カルボキシメチルポリエチレングリコール（carboxymethyl polyethylene glycol；MW 5000）は、Ｌａｙｓａｎ  Ｂｉｏ  Ｉｎｃ．（Arab、AL、USA）から購入した。ウシ血清アルブミン（bovine serum albumin；BSA）、ナトリウムドデシル硫酸ナトリウム（sodium dodecyl sulfate；SDS）及びジチオトレイトール（dithiothreitol；DTT）は、Ｓｉｇｍａ−Ａｌｄｒｉｃｈ（St.Louis、MO、USA）から購入した。０．１５ＭのＰＢＳ溶液は、ＮａＨ２ＰＯ４、Ｎａ２ＨＰＯ４とＮａＣｌ（Sigma-Aldrich、St. Louis、MO、USA）を脱イオン水（DI water）に溶かして１５０ｍＭのＮａＣｌを含む１０ｍＭリン酸緩衝溶液（ｐＨ７．４）で製造した。０．０２５ＭのＰＢＳは、同じ試薬で２５ｍＭのＮａＣｌを含むように製造した。すべての実験に最小の抵抗（＞１８ＭΩ／ｃｍ）を有するナノピュアウォーターを使用した。小胞（vesicle）の製造（小胞押出；vesicle extrusion）のために、気孔径が１００ｎｍであるポリカーボネート（polycarbonate；PC）フィルタ（Whatman、Fisher Scientific）を使用した。クロロホルム、アセトン、及びエタノールのような有機溶媒は、Ｄｕｋｓａｎ  Ｐｕｒｅ  Ｃｈｅｍｉｃａｌｓ  Ｃｏ．Ｌｔｄ．（Gyeonggi-do、Korea）から購入した。硫酸及び過酸化水素は、Ｄａｅｊｕｎｇ  Ｃｈｅｍｉｃａｌｓ＆Ｍｅｔａｌｓ  Ｃｏ．Ｌｔｄ．（Gyeonggi-do、Korea）から購入した。５０ｎｍの金ナノ粒子及びオリゴヌクレオチドは、それぞれＢＢＩ  Ｌｉｆｅ  Ｓｃｉｅｎｃｅｓ（Cardiff、UK）、及びＩｎｔｅｇｒａｔｅｄ  ＤＮＡ  Ｔｅｃｈｎｏｌｏｇｙ（Coralville、IA、USA）から購入した。Ｉ−ＰＮＰ（immobile PNP）に対する標的捕獲配列は５’−ＨＳ−（ＣＨ２）６−ＰＥＧ６−ＣＴＴＴＧＡＧＣＡＣ  ＡＴＣＣＴＴＡＴＣＡＡＴＡＴＴ−３’（配列番号１）、Ｉ−ＰＮＰのＳＬＢ結合（ｔｅｔｈｅｒｉｎｇ）配列は５’−ＨＳ−（ＣＨ２）６−ＰＥＧ６−ＣＴＴＴＧＡＧＣＡＣＴＧＴＴＡＧＣＧＴＧＴＧＴＧＧＡＡＴＴＴＴＡＡＴ−ビオチン−３’（配列番号２）である。Ｍ−ＰＮＰ（mobile PNP）の標的捕獲配列は５’−ＴＡＡＣＡＡＴＡＡＴＣＣＣＴＣ  ＣＡＣＧＡＧＴＴＴＣ−ＰＥＧ  ６−（ＣＨ２）３−ＳＨ−３’（配列番号３）、Ｍ−ＰＮＰのＳＬＢ結合（tethering）配列は５’−ビオチン−ＴＡＡＴＴＴＴＡＡＧＧＴＧＴＧＴＧＣＧＡＴＴＧＴＣＡＣＧＡＧＴＴＴＣ−ＰＥＧ６−（ＣＨ２）３−ＳＨ−３’（配列番号４）である。標的配列は、５’−ＧＡＧＧＧＡＴＴＡＴＴＧＴＴＡＡＡＴＡＴＴＧＡ  ＴＡＡＧＧＡＴ−３’（配列番号５）である。標的捕獲配列の下線部分は、標的ＤＮＡ配列に混成化した（hybridize）。単一塩基対の不一致ＤＮＡ配列には、標的ＤＮＡ配列のＡをＴに置換したものを用いた。非相補的ＤＮＡ配列は、５’−ＣＴＧＡＴＴＡＣＴＡＴＴＧＣＡＴＣＴＴＣＣＧＴＴＡＣＡＡＣＴ−３’（配列番号６）であった。
【手続補正２】
【補正対象書類名】明細書
【補正対象項目名】００８１
【補正方法】変更
【補正の内容】
【００８１】
【表３】
2017503502.tif 000001
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
分類に基づく医用画像特定装置であって、
超音波から、医療器具を描出する画像を収集するように構成される超音波画像収集デバイスと、
前記収集にダイナミックに応じて、前記画像から導出される情報に関して動作することによって前記器具をセグメント化するため、機械学習に基づく分類を使用するように構成される機械学習に基づく分類回路と
を有する、装置。
【請求項２】
前記回路は、ブースティングされる分類器を有し、前記セグメント化のために前記分類器を使用するように構成される、請求項１に記載の装置。
【請求項３】
前記使用は、ウェーブレット特徴量のパラメータの統計的ブースティングを実行することを有する、請求項２に記載の装置。
【請求項４】
前記デバイスを介して、前記器具の対応する描出に対して異なる角度から、前記繰り返し収集することをユーザ介入の必要なしで自動的にダイナミックに実行するように構成され、前記描出のセグメント化は前記繰り返しの収集にダイナミックに応じる、請求項１に記載の装置。
【請求項５】
前記描出の、描出毎の前記セグメント化を実行するように更に構成される、請求項４に記載の装置。
【請求項６】
前記セグメント化は、角度の範囲に渡って、スイープにおいてインクリメンタルに実行される、請求項４に記載の装置。
【請求項７】
前記角度に対応して前記描出の前記セグメント化はイメージングフィルタの異なる方向を使用する、請求項４に記載の装置。
【請求項８】
前記描出の前記セグメント化の結果に基づいて前記器具の方向をダイナミックに決定するように更に構成される、請求項４に記載の装置。
【請求項９】
超音波イメージングプローブを更に有し、前記装置は前記セグメント化の出力に基づいて前記プローブに対する前記器具の方向をダイナミックに決定するように構成される、請求項１に記載の装置。
【請求項１０】
前記器具は医用ニードルである、請求項１に記載の装置。
【請求項１１】
前記装置は、治療及び医療診断の少なくとも一つにおける使用のために設計される、請求項１０に記載の装置。
【請求項１２】
ディスプレイを更に有し、前記デバイスは前記ディスプレイを介した体組織のダイナミックな視覚化のスパンを空間的に規定するための視野を持つ超音波イメージングプローブを有し、前記装置は動作のニードル-存在-検出モードを備え、前記モードの間、前記セグメント化の出力に基づいて、ニードルが前記視野内に部分的にさえ存在しないことをユーザ介入の必要なしで自動的に決定するように更に構成される、請求項１０に記載の装置。
【請求項１３】
前記回路は、ニードルのパターン認識及び体組織のパターン認識の両方についてトレーニングされている、機械学習に基づく分類のための分類器を実現する、請求項１に記載の装置。
【請求項１４】
前記収集にダイナミックに応じて、前記画像に関して動作することによる前記画像からの前記情報の前記導出を実行するように構成される、請求項１に記載の装置。
【請求項１５】
医用画像の分類に基づく特定のためのコンピュータプログラムを実現するコンピュータ読取り可能な媒体であって、前記プログラムは複数の動作を実行するためのプロセッサによって実行可能な命令を持ち、前記複数の動作の間に、
超音波から医療器具を描出する画像を収集するステップと、
前記収集にダイナミックに応じて、医療器具を描出する前記画像から導出される情報に関して動作することによって前記器具をセグメント化するために機械学習に基づく分類を使用するステップと
の動作がある、コンピュータ読取り可能な媒体。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
近位端、遠位端、及びそれらの間に延在する内腔を有するカテーテルアダプタであって、当該カテーテルアダプタの側壁を通り内腔と連通する経路を形成する側部ポートをさらに備えるカテーテルアダプタ、
当該内腔内に配置され、当該内腔を近位チャンバーと遠位チャンバーとに分割する血液制御隔膜、
外径を有して、当該近位チャンバー内に配置され、基部と先端部とそれらの間に延在する本体とを有する隔膜アクチュエータであって、先端部は当該血液制御隔膜に近接して配置されており、基部は当該カテーテルアダプタの近位端に近接して位置されている隔膜アクチュエータ、
外径を有し、当該本体の外表面に配置されるアクチュエータ保持タブ、及び
内腔内に配置され、当該内腔と側部ポートの経路との間にシールを形成するバルブであって、当該バルブは、当該隔膜アクチュエータの外径より大きく、且つ当該アクチュエータ保持タブの外径よりも小さい内径を備えた保持リングを有し、当該アクチュエータ保持タブは当該血液制御隔膜と当該保持リングとの間で当該本体の外表面に位置されているバルブ、
を備えることを特徴とするポート付カテーテルアセンブリ。
【請求項２】
当該バルブは、当該内腔の内径とほぼ同じ大きさの外径を有する可撓性チューブを備え、それによって、当該バルブが締まり嵌めにより当該内腔内に保持されていることを特徴とする請求項１に記載のアセンブリ。
【請求項３】
当該カテーテルアダプタの近位端は、別の器具が当該隔膜アクチュエータの基部に接触し、当該血液制御隔膜のスリットを通して当該隔膜アクチュエータの先端を前進させるべく挿入され得る開口部をさらに備えることを特徴とする請求項１に記載のアセンブリ。
【請求項４】
基部は、当該保持リングの内径よりも大きい外径を有することを特徴とする請求項１に記載のアセンブリ。
【請求項５】
当該保持リングは、複数の通気部をさらに備えることを特徴とする請求項４に記載のアセンブリ。
【請求項６】
基部が当該保持リングに接触するとき、当該隔膜アクチュエータの先端は隔膜のスリットを通って前進され、且つ基部と当該保持リングとの間の界面は、当該隔膜アクチュエータの先端がスリットを通ってさらに前進するのを防ぐように、当該保持リングと基部との間に第一の距離をさらに備えることを特徴とする請求項１に記載のアセンブリ。
【請求項７】
当該第一の距離は、当該アクチュエータ保持タブが当該保持リングに接触しているとき、当該隔膜アクチュエータの先端の最遠位表面と当該血液制御隔膜の最遠位表面との間の第二の距離にほぼ等しい、ことを特徴とする請求項６に記載のアセンブリ。
【請求項８】
当該アクチュエータ保持タブに塗布された抗菌コーティングをさらに備え、当該アクチュエータ保持タブは、当該カテーテルアダプタの内腔を通る流体経路内に位置されていることを特徴とする請求項１に記載のアセンブリ。
【請求項９】
当該抗菌コーティングは、二酢酸クロルヘキシジン、グルコン酸クロルヘキシジン、アレキシジン、スルファジアジン銀、酢酸銀、クエン酸水和物、セトリミド、セチルピリジニウムクロライド、塩化ベンザルコニウム、o-フタルアルデヒド及び銀元素からなる群から選択される抗菌剤を含むことを特徴とする請求項８に記載のアセンブリ。
【請求項１０】
当該抗菌コーティングは、溶出抗菌コーティングを含み、それによって当該溶出抗菌コーティングが当該カテーテルアダプタの内腔の流体内で阻害ゾーンを提供していることを特徴とする請求項８に記載のアセンブリ。
【請求項１１】
当該保持リングは、当該バルブの近位端からなることを特徴とする請求項１に記載のアセンブリ。
【請求項１２】
当該保持リングは、側部ポートと当該カテーテルアダプタの遠位開口部との間の位置で当該カテーテルアダプタ内に位置されていることを特徴とする請求項１に記載のアセンブリ。
【請求項１３】
ポート付カテーテルアセンブリを製造する方法であって、
近位端、遠位端、及びそれらの間に延在する内腔を有するカテーテルアダプタを提供するステップ、
当該カテーテルアダプタの側壁に側部ポートを配置し、当該カテーテルアダプタの側壁を貫通して内腔と連絡する経路を形成するステップ、
当該内腔内に血液制御隔膜を配置して、当該内腔を近位チャンバーと遠位チャンバーに分割するステップ、
当該内腔の当該近位チャンバー内に、隔膜アクチュエータであって、基部、先端部、及びそれらの間に延在する本体を有し、当該先端部は当該血液制御隔膜に近接して位置され、且つ当該基部はカテーテルアダプタの近位端に近接して位置されていて、外径をさらに備えている隔膜アクチュエータを配置するステップ、
当該本体の外表面に、外径を有するアクチュエータ保持タブを位置決めするステップ、そして
当該内腔内に、バルブであって、当該隔膜アクチュエータの外径よりも大きく、当該アクチュエータ保持タブの外径よりも小さい内径を備える保持リングを有しているバルブを配置して、当該内腔と側部ポートの経路との間にシールを形成するステップ、を備え、
当該アクチュエータ保持タブが、当該血液制御隔膜と当該保持リングとの間の本体の外表面に位置されていることを特徴とする方法。
【請求項１４】
当該アクチュエータ保持タブは内腔の流体経路内に配置されており、当該アクチュエータ保持タブに抗菌コーティングを塗布するステップをさらに備えることを特徴とする請求項１３に記載の方法。
【請求項１５】
当該抗菌コーティングは、二酢酸クロルヘキシジン、グルコン酸クロルヘキシジン、アレキシジン、スルファジアジン銀、酢酸銀、クエン酸水和物、セトリミド、セチルピリジニウムクロライド、塩化ベンザルコニウム、o-フタルアルデヒド及び銀元素からなる群から選択される抗菌剤を備えることを特徴とする請求項１４に記載の方法。
【請求項１６】
当該抗菌コーティングは溶出抗菌コーティングからなり、当該溶出抗菌コーティングは、当該カテーテルアダプタの内腔の流体内に阻害のゾーンを提供することを特徴とする請求項１４に記載の方法。
【請求項１７】
当該保持リングに複数の通気部を設けるステップをさらに含むことを特徴とする請求項１３に記載の方法。
【請求項１８】
隔膜アクチュエータの外表面を受入れ、それに固定的に取り付けられるべく構成された内表面と、
当該内表面の反対側にカテーテルアダプタの内腔の流体経路と連通して位置された外表面であって、当該カテーテルアダプタの保持リングの内径よりも大きい外径を有する外表面とを備え、
それによって、アクチュエータ保持タブが、当該保持リングを通過することを防止されることを特徴とするアクチュエータ保持タブ器具。
【請求項１９】
外表面に塗布された抗菌コーティングをさらに含むことを特徴とする請求項１８に記載の器具。
【請求項２０】
当該抗菌コーティングは、二酢酸クロルヘキシジン、グルコン酸クロルヘキシジン、アレキシジン、スルファジアジン銀、酢酸銀、クエン酸水和物、セトリミド、セチルピリジニウムクロライド、塩化ベンザルコニウム、o-フタルアルデヒド及び銀元素からなる群から選択された抗菌剤を溶出し、それにより、カテーテルアダプタの内腔の流体内に阻害ゾーンを提供することを特徴とする請求項１９に記載の器具。
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
栄養細菌と養殖魚種とを一緒に飼育して、養殖魚種の有機物が含まれた飼育水を１次浄化するようにしたバイオフラックシステムにおいて、
前記１次浄化された飼育水をアクアフォニック植物栽培システムに移送して、植物栽培による２次浄化を実施して浄化された飼育水を再度バイオフラックシステムに供給し、
バイオフラックシステムは、複層からなる構造枠にバイオフラック用水槽が形成され、バイオフラック用水槽内部には、中間仕切りが形成されたトラックの形となり、前記バイオフラック用水槽壁面の一側には、ＵＶコーティング処理されたアクリル透視窓を設置して、外部から生物状態を確認でき、
アクアフォニック植物栽培システムは、密閉された空間の内部に恒温恒湿装置と照度装置と結露防止システムで構成され、胆液水耕栽培台、薄膜水耕栽培台、育苗栽培台から選択される１以上の栽培台が設備され、
バイオフラックシステムには、アクアフォニック植物栽培台に飼育水を一定の温度に落として供給するための冷却器を形成した冷却貯水槽が付加され、アクアフォニック植物栽培システムは栽培台から発生した栄養成分をバイオフラックシステムに飼育水を一定の温度に上昇させて供給するための加温貯水槽が付加されて飼育水が閉鎖的に循環されることを特徴とする、アクアフォニックを利用した都心型バイオフラック養殖システム
【請求項２】
前記バイオフラック用水槽の一側には、自動飼料供給システムが形成され、前記バイオフラック用の水槽または貯水槽には、水中ポンプと撹拌機で構成され、攪拌システムと空気供給装置が設置されたことを特徴とする、請求項１記載のアクアフォニックを利用した都心型バイオフラック養殖システム
【請求項３】
前記空気供給装置はバイオフラック用水槽の底に線形または閉鎖される多角現象を有するブロワーで成り立ち、プロテインスキマーからなる循環濾過装置がバイオフラック用水槽の一側に形成されるされたことを特徴とする、請求項２記載のアクアフォニックを利用した都心型バイオフラック養殖システム。
【請求項４】
植物種苗を定着させて飼育水を疎通させ、水耕栽培できる栽培槽が形成され、栽培槽の両側には、飼育水を供給と排水のための栽培水管が挿入される栽培水管挿入孔が形成され、栽培水管の他の一側は、飼育水を供給する飼育水管と接続され、飼育水管は浮力材で囲まれ飼育水管内の飼育水の保温と共に栽培槽を水面に浮かせることができように浮力を形成し、
栽培槽の下部には、栽培槽錘が形成されて、栽培水管の水平軸を中心に回転可能にして使用した養殖飼育水を植物を栽培に利用して浄化させた後、養殖生物の飼育水に再使用することを特徴とする多辺形バイオフラックアクアフォニック植物栽培システム
【請求項５】
前記栽培槽には、上部に栽培植物を定着させることができる栽培盆挿入孔が一つ以上形成されて、一定の体積を持って上面が開放されて、栽培水管が挿入される栽培水管を挿入孔が形成された根収容管が着脱可能なように結合されたことを特徴とする、請求項４記載の多辺形バイオフラックアクアフォニック植物栽培システム
【請求項６】
前記栽培盆挿入孔には、網紗分が定着されて網紗分には植物成長のための充電材と一緒に植物種苗が植えられたことを特徴とする、請求項５記載の多辺形バイオフラックアクアフォニック植物栽培システム
【請求項７】
前記栽培槽の側面に形成される栽培水管挿入孔は、高さ調節をできるように一つ以上形成され、選択的位置で栽培水管と接続され栽培植物の根が水に浸かる程度を調節できるようにしたことをを特徴とする、請求項４記載の多辺形バイオフラックアクアフォニック植物栽培システム
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
体の物理的または生理的パラメータを測定するための一体型粘着センサアレイであって、
パッチと、
前記パッチに結合されたセンサハブと、
前記パッチに着脱可能に結合された着脱式センサポッドとを備え、
前記パッチが、
前記パッチおよび前記パッチに結合されたセンサハブを前記体に直接粘着するように構成されたフレキシブル粘着基板と、
前記フレキシブル粘着基板と一体化されたフレキシブルレイヤであって、前記センサハブおよび前記センサハブに結合されたセンサハブ配線をサポートする、フレキシブルレイヤと、
前記着脱式センサポッドが着脱可能に結合されたドッキングエリアであって、前記センサハブ配線に結合されたコネクタを含むドッキングエリアとを備え、
前記センサハブが、
ワイヤレストランシーバと、
第１のエネルギー貯蔵要素と、
前記ワイヤレストランシーバ、前記センサハブ配線、および前記第１のエネルギー貯蔵要素に結合されたプロセッサであって、前記センサハブが受信機の範囲内にあるときに前記受信機と第１のワイヤレス通信リンクを確立するステップを含む動作を実施するようにプロセッサ実行可能命令を用いて構成されるプロセッサとを備え、
前記着脱式センサポッドが、
センサと、
第２のエネルギー貯蔵要素と、
前記センサおよび前記第２のエネルギー貯蔵要素に結合された送信機とを備え、
前記着脱式センサポッドが、
前記着脱式センサポッドが前記ドッキングエリアに取り付けられているときに、前記パッチ上で前記センサハブ配線に結合されたコネクタへの接続を介して、前記着脱式センサポッドが前記センサハブに結合され前記センサハブによって給電され、
前記着脱式センサポッドが前記ドッキングエリアから分離されるときに、前記着脱式センサポッドの前記送信機と前記センサハブのワイヤレストランシーバとの間に確立された第２のワイヤレス通信リンクを介して、前記着脱式センサポッドが前記センサハブにセンサデータを送信するように構成される、一体型粘着センサアレイ。
【請求項２】
前記センサハブが、前記プロセッサに結合された第１のインジケータをさらに備え、
前記プロセッサが、前記第１のワイヤレス通信リンクが受信機と確立されたときに、前記第１のインジケータ上に第１の表示をもたらすステップを含む動作を実施するように、プロセッサ実行可能命令を用いて構成される、請求項１に記載の一体型粘着センサアレイ。
【請求項３】
前記プロセッサが、前記着脱式センサポッドが前記ドッキングエリアから分離されたときに、体の上の前記着脱式センサポッドの適切な設置に関する第２の表示を前記第１のインジケータ上にもたらすステップをさらに含む動作を実施するように、プロセッサ実行可能命令を用いて構成される、請求項２に記載の一体型粘着センサアレイ。
【請求項４】
前記第１のインジケータが、設置基準が満足されたときに前記第２の表示の第１のバージョンをもたらし、前記設置基準が満足されないときに前記第２の表示の第２のバージョンをもたらすように構成される、請求項３に記載の一体型粘着センサアレイ。
【請求項５】
前記第２の表示の前記第１のバージョンが緑のディスプレイであり、前記第２の表示の前記第２のバージョンが赤のディスプレイである、請求項４に記載の一体型粘着センサアレイ。
【請求項６】
前記ドッキングエリアが、前記一体型センサアレイが不規則な輪郭を有する表面に付着されることを可能にするように構成された、前記フレキシブル基板および前記フレキシブル一体型レイヤの突出部上に配置される、請求項１に記載の一体型粘着センサアレイ。
【請求項７】
前記突出部が、断裂に耐えるように、前記着脱式センサポッドを前記ドッキングエリアから取り外すことによって生成される力を分散するようにさらに構成される、請求項６に記載の一体型粘着センサアレイ。
【請求項８】
体の上の前記着脱式センサポッドの適切な設置に関する前記第１のインジケータ上にもたらされる前記第２の表示が、前記着脱式センサポッドの前記センサからの信号と容認可能なセンサ信号のしきい値とを比較することによってもたらされ、前記比較に基づいて前記センサ信号が前記しきい値を満足するときに前記第２の表示を生成するように、前記着脱式センサポッドが構成される、請求項３に記載の一体型粘着センサアレイ。
【請求項９】
前記着脱式センサポッドが第２のインジケータをさらに備え、前記着脱式センサポッドが、体の上の前記着脱式センサポッドの適切設置に関する前記第２のインジケータを介する第３の表示を、
前記体に対する前記着脱式センサポッドの現在位置を決定することと、
前記体に対する前記着脱式センサポッドの前記現在位置と前記着脱式センサポッドに対する適切な設置位置とを比較することと、
前記着脱式センサポッドの前記現在位置が、前記着脱式センサポッドに対する前記適切な設置位置と比較して遜色がないかどうかに基づいて、前記第２のインジケータを介して前記第３の表示をもたらすこととによってもたらすように構成される、請求項３に記載の一体型粘着センサアレイ。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
ハンドル部分と、
遠位端にてブリストルのセットを有するブラシヘッドと、
ユーザの歯に対して効果的な洗浄作用を有する第１のブリストルの動きを発生させるために使用される第１の駆動信号を出力するように構成された第１の駆動信号の供給源と、
認知刺激効果又は認知弛緩効果のための可聴音と共に第２のブリストルの動きを発生させるために使用される第２の駆動信号を出力するように構成された第２の駆動信号の供給源であって、前記第１の駆動信号及び前記第２の駆動信号が組み合わされて、組み合わされた駆動信号になる、第２の駆動信号の供給源と、
前記ハンドル部分内の前記ブラシヘッドに結合した駆動システムであって、前記組み合わされた駆動信号に応答して、当該駆動システムは、複数の主要及び補助的なブリストルの動きを発生させるように構成され、該複数の主要及び補助的なブリストルの動きは、洗浄効果をもたらす、及び、前記認知刺激効果又は認知弛緩効果のための可聴音を発生させ、前記認知刺激効果に対して、前記ブラシヘッド上の当該駆動システムによって発生させられる可聴音は、ブラッシング事象の開始からその終わりまで強度が増加し、さらに、前記認知弛緩効果に対して、前記可聴音の強度は、前記ブラッシング事象の開始から終わりまでに減少する、駆動システムと、
を含む電動歯ブラシ。
【請求項２】
前記複数の主要及び補助的なブリストルの動きの効果的なブリストルの動きが、４０Ｈｚ〜５００Ｈｚの周波数範囲、０．５〜６ｍｍの振幅範囲、さらに、１．５ｍ／ｓを超えるブリストル先端速度を含む、請求項１に記載の電動歯ブラシ。
【請求項３】
前記複数の主要及び補助的なブリストルの動きの第１のブリストルの動きは、曲線状の動きを含む臨床的に効果的な第１のブリストルの動きを含み、さらに、前記複数の主要及び補助的なブリストルの動きの第２のブリストルの動きは、前記ブリストルのセットの軸方向の動き又はタッピングの動きを含む、請求項１に記載の電動歯ブラシ。
【請求項４】
前記可聴音は音楽を含む、請求項１に記載の電動歯ブラシ。
【請求項５】
前記可聴音は、ブラッシング事象のそれぞれ連続する部分にリズムの多様性を含む、請求項１に記載の電動歯ブラシ。
【誤訳訂正書】
【提出日】平成29年10月17日(2017.10.17)
【誤訳訂正１】
【訂正対象書類名】明細書
【訂正対象項目名】０００５
【訂正方法】変更
【訂正の内容】
【０００５】
本発明の有利な変形例では、アクチュエータによってかかる力が向く方向に直角の前額面と呼ばれる平面において、アクチュエータによってかかる力のスプレッダ上の作用点の投影部、および指によってかかる力のスプレッダ上の作用点の投影部が画定される。前額面において、前額面の交線と、アクチュエータによってかかる力が向き、かつ手のひらが主に延在する方向を含む水平面と呼ばれる平面の交線とに直角の垂直方向と呼ばれる方向が画定される。垂直方向に従って、アクチュエータによってかかる力のスプレッダ上の作用点の投影部が、指によってかかる力のスプレッダ上の作用点の投影部の重心に実質的に位置決めされ、指によってかかる力のスプレッダ上の作用点の投影部は、すべて一致するわけではない。
【誤訳訂正２】
【訂正対象書類名】明細書
【訂正対象項目名】００２５
【訂正方法】変更
【訂正の内容】
【００２５】
スプレッダ１０３は、水平面内に主に延在する。しかしながらスプレッダ１０３は、水平面に対して特定の湾曲を有し得る。この湾曲は、図２ａにおいてはっきり見ることができる。この図は、スプレッダ１０３上の異なる力の作用点の、前額面における投影部を示す。より具体的には、タイロッド１０５、１０７、１０８、１０９および１１０は、ケーブルの端部上にかしめられ、または成形された突起部、それぞれ１３５、１３７、１３８、１３９および１４０を端部が有するケーブルであり得る。ケーブルそれぞれの突起部は、スプレッダ１０３内に製造されたチャンネル内に保持される。力の作用点は、突起部とスプレッダ１０３との接点である。アクチュエータ１０１によってスプレッダ１０３にかかる力は、Ｆ５で特定される。指１４、１５、１６および１７によってかかる力は、それぞれＦ１、Ｆ２、Ｆ３およびＦ４で特定される。タイロッド１０５を介してアクチュエータ１０１によってかかる力の作用点には、参照符号１４５を付す。タイロッド１０７によってかかる力の作用点には、参照符号１４７を付す。タイロッド１０８によってかかる力の作用点には、参照符号１４８を付す。タイロッド１０９によってかかる力の作用点には、参照符号１４９を付し、タイロッド１１０によってかかる力の作用点には、参照符号１５０を付す。
【誤訳訂正３】
【訂正対象書類名】明細書
【訂正対象項目名】００２６
【訂正方法】変更
【訂正の内容】
【００２６】
前額面１２６では、前額面１２６の交線と、水平面１２５の交線とに直角である垂直方向１４２が画定される。アクチュエータ１０１によってかかる力の作用点１４５の投影部は、指１４〜１７によってかかる力の作用点１３７〜１４０の投影部の重心に実質的に位置決めされることが有利である。
【誤訳訂正４】
【訂正対象書類名】明細書
【訂正対象項目名】００２７
【訂正方法】変更
【訂正の内容】
【００２７】
より具体的には、垂直方向１４２において、作用点１４５の投影部の横座標が原点として画定される。作用点１４７〜１５０の投影部の横座標の和は、０である。指１４〜１７によってかかる力Ｆ１〜Ｆ４のスプレッダ１０３上の作用点１４７〜１５０における垂直方向１４２の投影部は、すべてが一致するわけではない。
【誤訳訂正５】
【訂正対象書類名】明細書
【訂正対象項目名】００２９
【訂正方法】変更
【訂正の内容】
【００２９】
さらに、図２ｂに見ることができる正面方向１５２が画定される。方向１５２は、アクチュエータ１０１によってかかる力Ｆ５が向く方向と平行である。正面方向１５２に従って、アクチュエータ１０１によってかかる力Ｆ５のスプレッダ１０３上の作用点１４５の投影部を原点としてみなし、アクチュエータ１０１がスプレッダ１０３を引っ張る方向を正方向としてみなす。指１４〜１７によってかかる力Ｆ１〜Ｆ４のスプレッダ１０３上の作用点１４７〜１５０の投影部の横座標は、すべて負である。
【誤訳訂正６】
【訂正対象書類名】明細書
【訂正対象項目名】００３１
【訂正方法】変更
【訂正の内容】
【００３１】
最後に、方向１４２と１５２とに直角の第３の方向１６２を画定することができる。方向１６２に従って、アクチュエータ１０１によってかかる力の作用点１４５の投影部は、作用点１４８および１４９の投影部の真ん中に実質的に位置決めされることが有利である。同様に、さらに方向１６２に従って、作用点１４５の投影部は、作用点１４７および１５０の投影部の真ん中に実質的に位置決めされることが有利である。言いかえれば、方向１６２に従って、作用点１４５の投影部を他の投影部から離す複数の距離、すなわち点１４８の投影部に対するＬ１、点１４９の投影部に対するＬ２、点１４７の投影部に対するＬ３、および点１５０の投影部に対するＬ４が画定される。有利には、Ｌ１＝Ｌ２およびＬ３＝Ｌ４である。
【誤訳訂正７】
【訂正対象書類名】明細書
【訂正対象項目名】００３３
【訂正方法】変更
【訂正の内容】
【００３３】
スプレッダ１０３に連結された指の数にかかわらず、この構成を一般化することができる。より具体的には、方向１６２に従って、アクチュエータ１０１によってかかる力の作用点１４５の投影部は、スプレッダ１０３に連結された指１４〜１７によってかかる力の作用点の投影部の重心に位置する。
【誤訳訂正８】
【訂正対象書類名】明細書
【訂正対象項目名】００５２
【訂正方法】変更
【訂正の内容】
【００５２】
図８は、手のひら側から見た開いた手を示す。この図によって、スプレッダに連結された指の作用点の位置および指の相互配向を特定することができる。より具体的には、図２ｂを使用して、正面方向１５２に対して、スプレッダ１０３上の作用点１４７〜１５０の投影部の横座標がすべて負であることが特定されている。横座標の原点は、アクチュエータによって加わる力の作用点１４５の投影部である。正面方向１５２の作用点１４７〜１５０の投影部の異なる横座標を区別することによって、人体構造により良好に近づけることができる。より具体的には、絶対値として、小指１７によってかかる力Ｆ４の作用点１５０の横座標が最小である。絶対値として、中指１５によってかかる力Ｆ２の作用点１４８の横座標が最大である。絶対値として、人差し指１４および薬指１６によってかかる力Ｆ１およびＦ３の作用点１４７および１４９の横座標が、作用点１４８と１５０との横座標間に位置する中間値を有する。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
分析物センサシステムと前記分析物センサシステムから無線で受信した分析物値を表示することができる複数の表示デバイスとの間の無線データ通信のための方法であって、
第１の一連のアドバタイズメント信号を伝送することと、
第１の表示デバイスから第１のデータ接続要求を受信することと、
前記第１の表示デバイスが、単一の許可される表示デバイスを含むためのリストに特定されるかどうかを判定することと、
前記第１の表示デバイスが前記リストに特定されない場合に、無線ハードウェアレベルで前記第１の表示デバイスからの前記第１のデータ接続要求を拒絶することと、を含む、前記方法。
【請求項２】
分析物センサシステムであって、前記分析物センサシステムから無線で受信した分析物値を表示することができる複数の表示デバイスとの無線データ通信のために構成され、
分析物センサと、
単一の許可される表示デバイスを特定するリストを記憶するためのメモリと、
無線信号を伝送及び受信するように構成されるトランシーバと、
前記分析物センサ、前記メモリ、及び前記トランシーバに操作可能に連結され、
前記トランシーバに、第１の一連のアドバタイズメント信号を伝送させることと、
第１の表示デバイスから第１のデータ接続要求を受信することと、
前記第１の表示デバイスが前記リストに特定されないことを判定することと、
無線ハードウェアレベルで前記第１の表示デバイスからの前記データ接続要求を拒絶することと、を行うように構成される、プロセッサと、を備える、分析物センサシステム。
【請求項３】
前記分析物センサは、連続的グルコースセンサである、請求項２に記載の分析物センサシステム。
【請求項４】
前記複数の表示デバイスのうちの一方は、カスタム分析物監視デバイスであり、前記複数の表示デバイスのうちのもう一方は、モバイルデバイスである、請求項２または３に記載の分析物センサシステム。
【請求項５】
前記無線データ通信は、短距離かつ低電力の無線通信プロトコルを用いる、請求項２または３に記載の分析物センサシステム。
【請求項６】
前記プロセッサは、リンク層（ＬＬ）コントローラである、請求項２または３に記載の分析物センサシステム。
【請求項７】
前記リストは、前記ＬＬコントローラ内に維持されるホワイトリストである、請求項６に記載の分析物センサシステム。
【請求項８】
前記プロセッサはさらに、
前記トランシーバに、前記第１のデータ接続要求を拒絶した後に１つ以上のアドバタイズメント信号の伝送を継続させることと、
第２の表示デバイスからデータ接続要求を受信することと、
前記第２の表示デバイスが前記リストに特定される場合に、前記第２の表示デバイスとのデータ接続を確立することと、を行うように構成される、請求項２または３に記載の分析物センサシステム。
【請求項９】
前記プロセッサはさらに、
前記データ接続を確立した後に、前記第２の表示デバイスとのデータ通信を行うことと、
前記データ通信を完了した後に前記データ接続を終了させることと、
前記トランシーバをスリープモードに入らせることと、を行うように構成される、請求項８に記載の分析物センサシステム。
【請求項１０】
前記プロセッサはさらに、所定の条件が満たされる場合に、前記リストを消去するように構成される、請求項２または３に記載の分析物センサシステム。
【請求項１１】
前記所定の条件は、所定の通信セッション回数以内に前記リストに特定される列挙された表示デバイスからのデータ接続要求を受信することが失敗することを含む、請求項１０に記載の分析物センサシステム。
【請求項１２】
前記所定の条件は、前記リストに特定される列挙された表示デバイスからの、前記列挙された表示デバイスが前記リストから消去されることを示す消去信号の受信を含む、請求項１０に記載の分析物センサシステム。
【請求項１３】
前記プロセッサはさらに、
第２の表示デバイスから第２のデータ接続要求を受信することと、
前記リストが消去されていると判定することと、
前記トランシーバに、前記第２のデータ接続要求を承認させることと、
前記第２の表示デバイスを特定するデータを前記リストに書き込むことと、を行うように構成される、請求項１０に記載の分析物センサシステム。
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
ユーザの胸部の皮膚に対して実質的に平行に延びるように構成された支持面における支持表面、
アクチュエータ、
互いに結合された少なくとも２つのマッサージ突起部、
を含む胸部マッサージャーであって、
前記マッサージ突起部は、前記支持面に対して平行に直線的に配置され、さらに、前記アクチュエータは、前記マッサージ突起部の直線的な配置と一致し且つ前記支持面に対して垂直をなす面においてある動きで前記マッサージ突起部を駆動するように構成され、さらに、前記マッサージ突起部は、前記支持面を通って延びるように構成され、前記マッサージ突起部の動きは円形又は楕円形であり、さらに、前記支持面を通る前記マッサージ突起部の延びは、前記円形又は楕円形の動きの間に変わり、前記マッサージ突起部は、従って、コーミング又は蠕動の動きを模倣する動きを行う、胸部マッサージャー。
【請求項２】
前記支持面を通る前記マッサージ突起部の延びの量は、前記円形又は楕円形の動きの一部の間にゼロである、請求項１に記載の胸部マッサージャー。
【請求項３】
それぞれのマッサージ突起部は、前記円形又は楕円形の動きの異なる位相角にて前記支持面を通って延びるように構成される、請求項１又は２に記載の胸部マッサージャー。
【請求項４】
前記マッサージ突起部は、堅い梁によって結合される、請求項１乃至３のいずれか一項に記載の胸部マッサージャー。
【請求項５】
前記マッサージ突起部及び前記堅い梁は一体形成される、請求項４に記載の胸部マッサージャー。
【請求項６】
前記堅い梁はクランクシャフトによって駆動され、さらに、前記クランクシャフトは前記アクチュエータによって駆動される、請求項４又は５に記載の胸部マッサージャー。
【請求項７】
前記クランクシャフトは、円形の動きを実行するように構成される、請求項６に記載の胸部マッサージャー。
【請求項８】
第１の突起部が第１の歯車に結合され、第２の突起部が第２の歯車に結合され、中間の歯車が前記第１の歯車及び前記第２の歯車に結合され、さらに、前記第１の歯車は、前記アクチュエータによって駆動されるように構成される、請求項１乃至３のいずれか一項に記載の胸部マッサージャー。
【請求項９】
第１の突起部が第１の歯車に結合され、第２の突起部が第２の歯車に結合され、ギアベルトが前記第１の歯車及び前記第２の歯車に結合され、さらに、前記ギアベルトは前記アクチュエータによって駆動されるように構成される、請求項１乃至３のいずれか一項に記載の胸部マッサージャー。
【請求項１０】
前記円形又は楕円形の動きは振幅において異なる、請求項８又は９に記載の胸部マッサージャー。
【請求項１１】
４つの突起部を含む、請求項１乃至１０のいずれか一項に記載の胸部マッサージャー。
【請求項１２】
前記マッサージ突起部は、プラスチックスリーブによって覆われる、請求項１乃至１０のいずれか一項に記載の胸部マッサージャー。
【請求項１３】
前記マッサージ突起部は、ゴム又はシリコーンのスリーブによって覆われる、請求項１乃至１０のいずれか一項に記載の胸部マッサージャー。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
脊髄処置中に下位運動神経経路の健康を監視する、コンピュータで実行される方法であって、
第１の経皮経腹腔刺激信号を外科手術標的部位よりも上位の脊髄神経根に給送するステップと、
前記外科手術標的部位よりも下位に位置する筋肉への前記第１の経皮経腹腔刺激信号の伝達に基づいて、第１の神経筋応答データセットを決定するステップと、を含む、
方法。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
出口管が突出した副サイクロンであって、前記出口管は、幅寸法および長さを有し、前記出口管は、前記副サイクロンの同心重心軸に沿って整列した中心軸を有し；前記出口管が、圧力容器閉鎖ヘッドに固定されるように構成されることで、前記出口管に支持される副サイクロンと、
前記副サイクロンに動作可能に連結され、管状支持部材が突出した主サイクロンと、
を含む一体化主および副サイクロンアセンブリであって、
前記管状支持部材は、前記副サイクロンの前記出口管とほぼ平行に整列し、前記副サイクロンの前記出口管と同じ幅寸法および長さを有しており、前記主サイクロンを支持するために、前記圧力容器閉鎖ヘッドに連結されるように構成され；
前記管状支持部材は、前記主サイクロンの同心重心軸に沿って整列した中心軸を有し；
主サイクロン、副サイクロン、又は主サイクロンと副サイクロンの両方について配置された一体化サイクロン安定器は、サイクロンの上側部分に配置された上側環状リングとサイクロンの下側部分に配置された下側環状リングと、上側環状リングと下側環リングとの間に延びる複数の支材を含み、上側環状リングは、サイクロンの上側部分を支持するために、上側環状リングの内側で、半径方向に延びる複数のヒンジ部材を有し、下側環状リングは、サイクロンの下側部分を支持するために、下側環状リングの内側で、半径方向に延びる複数のヒンジ部材を有し；
一体化サイクロン安定器アセンブリと一体化サイクロン安定器アセンブリが配置されたサイクロンの部分は圧力容器内に配置され；一体化サイクロン安定器アセンブリは、圧力容器への取付具を有さず；
一体化サイクロン安定器は、主サイクロンと副サイクロンの両方について配置され；一体化サイクロン安定器は、少なくとも一の連結部材を更に含み、同じ圧力容器内で主サイクロン又は副サイクロン用に同様に構成された安定器の対応する環状リングと、主サイクロン又は副サイクロンの上側及び下側リングの少なくとも一を連結する、一体化主および副サイクロンアセンブリ。
【請求項２】
前記管状支持部材は、パイプまたは圧延板から形成される、請求項１に記載のアセンブリ。
【請求項３】
前記管状支持部材は、前記出口管の壁厚と同じ壁厚を有する、請求項１に記載のアセンブリ。
【請求項４】
前記管状支持部材は、前記出口管の熱膨張係数と同じ熱膨張係数を有する、請求項１に記載のアセンブリ。
【請求項５】
前記主サイクロンは、ハンガーストラップのない前記圧力容器閉鎖ヘッドに連結されるように構成される、請求項１に記載のアセンブリ。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
サンプルを含み、存在する場合には、目的の検体の検出のために前記サンプルを濃縮するように適合されるサンプル検出容器であって、
前記容器は、サンプルを受容するように構成される開放端部と、微細空洞を含む閉鎖端部と、分離液と、を含み、
前記微細空洞は上部開口部及び底部を含み、目的のサンプルを保持するための毛細管力を提供するように構成され、前記微細空洞は、前記サンプルの遠心分離の結果生じたサンプル濃縮物を含み、前記濃縮物は、沈降物、及び上澄みの少なくとも一部分を含み、
前記分離液は、前記容器内において、前記微細空洞と前記微細空洞の外側に配置された前記上澄みの間に配置され、
前記分離液は、前記サンプルの前記上澄みの密度よりも高い密度、及び少なくとも０．０５Ｎ／ｍの前記上澄みとの界面張力を有し、
前記分離液は非毒性かつ不活性である、サンプル検出容器。
【請求項２】
存在する場合には、サンプル内の目的の検体を検出するための方法であって、
サンプルを受容するように構成される開放端部、及び微細空洞を含む閉鎖端部を含むサンプル検出容器であって、前記微細空洞が上部開口部及び底部を含み、かつ目的のサンプルを保持するための毛管力を提供するように構成される、前記サンプル検出容器を準備することと、
前記サンプル検出容器内にサンプルを配置することと、
前記サンプル検出容器を前記微細空洞へ向けて遠心分離し、前記サンプルの沈降物及び上澄みを形成することと、
前記サンプル検出容器を遠心分離した後に、前記サンプルの濃縮物が前記微細空洞内に保持されるように、前記微細空洞の外側に配置された前記上澄みを前記微細空洞から押しのけるために、前記サンプル検出容器に分離液を添加することであって、前記濃縮物が前記沈降物を含み、前記分離液が、前記微細空洞と前記微細空洞の外側に配置された前記上澄みの間に移動する、ことと、を含み、
前記分離液は、前記サンプルの前記上澄みの密度よりも高い密度、及び少なくとも０．０５Ｎ／ｍの前記上澄みとの界面張力を有し、
前記分離液は非毒性かつ不活性である、方法。
【請求項３】
存在する場合には、サンプル内の目的の検体を検出するためのシステムであって、
フィルタ部を含む第１の容器アセンブリであって、前記フィルタ部がフィルタを含み、前記フィルタが第１の面を有し、かつ前記第１の面上に前記サンプルの濾過物を含む、第１の容器アセンブリと、
請求項１に記載のサンプル検出容器に連結されるフィルタ部を含む第２の容器アセンブリであって、該フィルタ部及び前記サンプル検出容器が、前記フィルタの前記第１の面が前記サンプル検出容器の前記微細空洞に面するように互いに連結されている、第２の容器アセンブリと、を含む、システム。
【請求項４】
前記サンプル検出容器内にサンプルを配置することが、
フィルタ部を含む第１の容器アセンブリであって、前記フィルタ部が、前記サンプルからの目的の検体を保持するように構成されるフィルタを含み、前記フィルタが第１の面を有し、かつ前記第１の面上に前記サンプルの濾過物を含む、前記第１の容器アセンブリを準備することと、
前記フィルタ部を前記サンプル検出容器に連結させて、前記フィルタ部及び前記サンプル検出容器が、前記フィルタの前記第１の面が前記サンプル検出容器の前記微細空洞に面するように互いに連結されている第２の容器アセンブリを形成することと、を含む、請求項２に記載の方法。